【手続補正書】
【提出日】平成20年9月25日(2008.9.25)
【手続補正１】
【補正対象書類名】明細書
【補正対象項目名】全文
【補正方法】変更
【補正の内容】
【書類名】      明細書
【発明の名称】  浴室構造
【特許請求の範囲】
【請求項１】
浴室床全体を防水パンで構成し、該浴室床上に浴槽を配置した浴室構造において、
前記浴室床に対して前記浴槽を、浴室壁の中央に配置変更可能に設置すると共に、前記浴室床の上に前記浴槽の位置を拘束可能なスペーサ部材を設置したことを特徴とする浴室構造。
【請求項２】
前記浴室壁は浴室の奥壁であり、前記浴槽が横向き状態で前記奥壁の中央に配置されることを特徴とする請求項１記載の浴室構造。
【請求項３】
前記スペーサ部材の上に介助設備を設置したことを特徴とする請求項１または２記載の浴室構造。
【請求項４】
前記浴室床の中央に浴室の排水を行う排水口を１箇所設けたことを特徴とする請求項１ないし３のいずれか一項に記載の浴室構造。
【請求項５】
水栓設備を備えたカウンターを、移設可能に取付けたことを特徴とする請求項１ないし４のいずれか一項に記載の浴室構造。
【発明の詳細な説明】
【０００１】
【発明の属する技術分野】
この発明は、簡単に浴槽の配置を変更可能とした浴室構造に関するものである。
【０００２】
【従来の技術】
一般に、浴槽は浴室に対して位置を固定されている。例えば、実開平３−１２５４９４号公報に記載された浴室ユニットでは、予め形成された枠部に浴槽をはめ込むようにして浴槽を設置しているため浴槽は位置が固定される。また、浴室床全体を防水パンとした浴室ユニットでは、浴槽の位置がずれないように浴槽の足を防水パンに固定するようにしている。また、在来工法の浴室においても浴槽は動かないように設置される。
【０００３】
【発明が解決しようとする課題】
しかしながら、浴槽の位置を固定して動かせないようにした場合、例えば、入浴者が高齢化して身体機能が低下し介助が必要になったような場合に、対応することが困難となる。
【０００４】
そこで、本発明の目的は、上記の問題点を解消し、簡単に浴槽の配置を変更可能とすることのできる浴室構造を提供することにある。
【０００５】
【課題を解決するための手段】
上記課題を解決するために、請求項１に記載された発明では、浴室床全体を防水パンで構成し、該浴室床上に浴槽を配置した浴室構造において、前記浴室床に対して前記浴槽を、浴室壁の中央に配置変更可能に設置すると共に、前記浴室床の上に前記浴槽の位置を拘束可能なスペーサ部材を設置したことを特徴としている。
【０００６】
このように構成された請求項１にかかる発明によれば、前記スペーサ部材を取外すことにより、前記浴槽の配置を簡単且つ随時変更することができる。
【０００７】
請求項２に記載された発明では、前記浴室壁は浴室の奥壁であり、前記浴槽が横向き状態で前記奥壁の中央に配置されることを特徴としている。
【０００８】
このように構成された請求項２にかかる発明によれば、入浴者が高齢化して身体機能が低下し介助が必要になったような場合でも余裕をもって対応することが可能となる。
【０００９】
請求項３に記載された発明では、前記スペーサ部材の上に介助設備を設置したことを特徴としている。
【００１０】
このように構成された請求項３にかかる発明によれば、移乗台または座板などの介助設備を浴槽に対して隣接配置することにより、例えば高齢者などの入出槽を容易化することができる。
【００１１】
請求項４に記載された発明では、
前記浴室床の中央に浴室の排水を行う排水口を１箇所設けたことを特徴としている。
【００１２】
このように構成された請求項４にかかる発明によれば、排水口より浴室全体の排水を集中して行うことが可能となる。
【００１３】
請求項５に記載された発明では、水栓設備を備えたカウンターを、移設可能に取付けたことを特徴としている。
【００１４】
このように構成された請求項５にかかる発明によれば、前記カウンターを移設可能とすることにより、前記浴槽の配置変更に対応させることが可能となる。
【００１５】
【発明の実施の形態１】
以下、本発明の具体的な実施の形態１について、図示例と共に説明する。
【００１６】
図１〜図７は、この発明の実施の形態１を示すものである。
【００１７】
まず、構成を説明すると、この実施の形態１のものでは、図１に示すように、浴室床１全体を防水パン２で構成し、浴室床１上に浴槽３を配置する。
【００１８】
そして、図２に示すように、浴室床１の縦寸法ａおよび横寸法ｂを共に浴槽３の長さ寸法ｃよりも大きく構成する（ａ＞ｃ，ｂ＞ｃ）。特に、図２では、浴室床１は正方形としている（ａ＝ｂ）。この浴室床１に対して浴槽３を配置変更可能に設置する。そして、浴室床１の上に浴槽３の位置を拘束可能なスノコ板などのスペーサ部材４を設置する。
【００１９】
この際、図３に示すように、浴室床１を略水平面５とすると共に、浴室床１に浴室全体の排水を行う排水口６を１箇所以上設け、浴室床１に排水口６へ向けて傾斜する大小の排水溝７，８を適宜形成する。例えば、図３（ａ）の場合、排水口６は浴室床１の中央に１箇所形成され、大排水溝７は浴室床１に対角線状に形成され、小排水溝８は水平面５部分に浴室床１の各辺と平行に多数形成されている。
【００２０】
ここで、浴槽３の幅寸法ｄを浴室床１の縦寸法ａの半分とする（ｄ＝１／２ａ）。そして、スペーサ部材４として、浴槽３の幅寸法ｄと等しい縦寸法ｄ、および、浴室床１の横寸法ｂと浴槽３の長さ寸法ｃとの差に等しい横寸法（ｂ−ｃ）を有する中判スノコ板９を設ける。また、必要に応じて、中判スノコ板９の半分の横寸法（１／２（ｂ−ｃ））を有するハーフサイズ中判スノコ板１０を設ける。そして、中判スノコ板９を２枚分、即ち、中判スノコ板９を２枚か、或いは、中判スノコ板９を１枚とハーフサイズ中判スノコ板１０を２枚用意する（後者が好ましい）。
【００２１】
且つ、浴室床１の縦寸法ａと浴槽３の幅寸法ｄとの差（ａ−ｄ＝ｄ）に等しい、即ち、浴槽３の幅寸法ｄと等しい縦寸法ｄ、および、浴槽３の長さ寸法ｃと等しい横寸法ｃを有する大判スノコ板１１を設ける。また、必要に応じて、大判スノコ板１１の半分の縦寸法（１／２ｄ）を有するハーフサイズ大判スノコ板１２を設ける（図５参照）。そして、大判スノコ板１１を１枚分、即ち、大判スノコ板１１を１枚か、或いは、ハーフサイズ大判スノコ板１２を２枚用意する（後者が好ましい）。ここで、各スノコ板の上面は洗い場の床面を構成するようになされている。
【００２２】
更に、浴槽３の幅寸法ｄと等しい縦寸法ｄ、および、中判スノコ板９の横寸法（ｂーｃ）の半分の横寸法（１／２（ｂ−ｃ））を有する移乗台または座板などの介助設備１３を浴槽３に対して隣接配置すると共に、介助設備１３を浴槽３の配置変更に応じて移設可能とする。この介助設備１３は、スノコ板などのスペーサ部材４の上に設置可能なものとする。或いは、浴室床１上に直接設置可能としても良い。
【００２３】
更に、給水栓１４やシャワー水栓１５などの水栓設備１６を備えた大小のカウンター１７，１８のいずれかを移設可能に取付ける。このうち大きい方のカウンター１７は、浴槽３の幅寸法ｄと等しい縦寸法ｄとする。小さい方のカウンター１７は、浴槽３の幅寸法ｄの半分の縦寸法（１／２ｄ）とする。スノコなどのスペーサ部材４の上に設置可能なものとする。或いは、浴室床１上に直接設置可能としても良い。そして、図７に示すように、カウンター１７，１８を側面視逆Ｌ字状とし、カウンター１７，１８の浴室壁側の端部に下方へ延びる差込金具１９を取付け、浴室壁に側面視ほぼＪ字状の受金具２０を取付けて、差込みによりカウンター１７，１８を設置可能とする。また、給水栓１４やシャワー水栓１５などの水栓設備１６には、フレキシブル給水・給湯配管２１を接続するようにする。
【００２４】
次に、この実施の形態１の作用について説明する。
【００２５】
この実施の形態１にかかる浴室構造によれば、浴室床１が浴槽３よりも大きく、且つ、浴槽３が浴室床１に固定されていないので、スノコなどのスペーサ部材４を取外すことにより、浴室内で簡単且つ随時浴槽３の配置を変更することができる。これにより、例えば、入浴者が高齢化して身体機能が低下し介助が必要になったような場合でも余裕を持って対応することが可能となる。また、入浴者が右麻痺状態や左麻痺状態になった場合でも、最適な配置とすることができる。
【００２６】
また、浴室床１を略水平面５としたことにより、浴槽３を浴室内の任意の位置に設置することが可能となる。そして、排水溝７，８によって浴室床１の水を排水口６へ導き、排水口６より浴室全体の排水を集中して行うことが可能となる。そのため、浴槽３の排水に要する配管を不要とすることが可能となる。ここで、浴槽３の下面には脚を設けているが、排水溝にはまり込まないような大きさになされている。
【００２７】
更に、中判スノコ板９の２枚分と大判スノコ板１１の１枚分とを組合せて用いることにより、図２、図４〜図６に示すように、多彩な浴槽３の配置を得ることが可能となり、且つ、簡単に浴槽３の位置を拘束することができる。
【００２８】
例えば、図２では、浴槽３は横向き状態で浴室の奥壁の中央に接触配置されている。そして、浴槽３の左右両側にはそれぞれハーフサイズ中判スノコ板１０が配置されている。ハーフサイズ中判スノコ板１０の上には移乗台または座板などの介助設備１３が設置されている。また、浴室の手前側には左側に大判スノコ板１１が配置され、右側に中判スノコ板９が配置されている。大判スノコ板１１の左側には大きい方のカウンター１７が取付けられている。
【００２９】
図４では、浴槽３は横向き状態で浴室の奥壁の左側に接触配置されている。そして、浴槽３の右側には中判スノコ板９が配置されている。また、浴室の手前側には左側に大判スノコ板１１が配置され、右側に中判スノコ板９が配置されている。大判スノコ板１１の左側には大きい方のカウンター１７が取付けられており、且つ、移乗台または座板などの介助設備１３も浴槽３に隣接させて設置されている。
【００３０】
図５では、浴槽３は横向き状態で浴室の左壁の中央に接触配置されている。そして、浴槽３の図中上下にはハーフサイズ大判スノコ板１２が配置されている。上側のハーフサイズ大判スノコ板１２の左側には小さい方のカウンター１８が取付けられており、且つ、移乗台または座板などの介助設備１３も浴槽３に隣接させて設置されている。また、浴室の右側には中判スノコ板９が２枚配置されている。
【００３１】
例えば、図６では、浴槽３は縦向き状態で浴室の奥壁の左側に接触配置されている。そして、浴槽３の右側には大判スノコ板１１が縦向き状態で配置されている。大判スノコ板１１の図中上側には大きい方のカウンター１７が取付けられている。浴室の下側には、中判スノコ板９が２枚配置されている。中判スノコ板９の上には移乗台または座板などの介助設備１３が浴槽３に隣接させて設置されている。なお、この他にも、図２、図４〜図６を左右反転した配置なども可能である。
【００３２】
ここで、中判スノコ板９を１枚とハーフサイズ中判スノコ板１０を２枚とハーフサイズ大判スノコ板１２を２枚使用した場合には、浴槽３の配置を変更する際に、新たなスノコを必要としたり、不要なスノコが出たりすることがない。
【００３３】
そして、移乗台または座板などの介助設備１３を浴槽３に対して隣接配置することにより、例えば高齢者などの入出槽を容易化することができる。また、介助設備１３の横寸法を中判スノコ板９の横寸法の半分の横寸法とすることにより、介助設備１３の組込みを容易化および規格化することができ、且つ、浴槽３の配置変更に応じた介助設備１３の移設が容易となる。
【００３４】
更に、図７に示すように、カウンター１７，１８を移設可能とすることにより、浴槽３の配置変更に対応させることが可能となる。また、フレキシブル給水・給湯配管２１を用いることにより、カウンター１７，１８の移設に対応することが容易となる。
【００３５】
【変形例】
図８は実施の形態１の変形例であり、浴室床１の一方の対角線方向に対向するコーナー部に排水口６を２箇所設け、浴室床１の外周に大排水溝７を形成し、他方の対角線を領線（稜線）とし前記一方の対角線と平行な小排水溝８を水平面５部分に多数形成したものである。
【００３６】
【発明の効果】
以上説明してきたように、請求項１の発明によれば、スペーサ部材を取外すことにより、浴室内で簡単に浴槽の配置を変更することができる。
【００３７】
請求項２の発明によれば、入浴者が高齢化して身体機能が低下し介助が必要になったような場合でも余裕をもって対応することが可能となる。
【００３８】
請求項３の発明によれば、移乗台または座板などの介助設備を浴槽に対して隣接配置することにより、例えば高齢者などの入出槽を容易化することができる。
【００３９】
請求項４の発明によれば、排水口より浴室全体の排水を集中して行うことが可能となる。
【００４０】
請求項５の発明によれば、カウンターを移設可能とすることにより、浴槽の配置変更に対応させることが可能となる、という実用上有益な効果を発揮し得る。
【図面の簡単な説明】
【図１】本発明の実施の形態１の斜視図である。
【図２】図１を上方から見た配置の一例を示す図である。
【図３】（ａ）は浴室床の平面図、（ｂ）は浴室床の側面図である。
【図４】浴槽の配置変更図である。
【図５】浴槽の他の配置変更図である。
【図６】浴槽の別の配置変更図である。
【図７】カウンターを側面から見た断面図である。
【図８】実施の形態１の変形例にかかる浴室床の平面図である。
【符号の説明】
１    浴室床
２    防水パン
３    浴槽
４    スペーサ部材
５    水平面
６    排水口
７    大排水溝
８    小排水溝
９    中判スノコ板
１０  中判スノコ板（ハーフサイズ）
１１  大判スノコ板
１２  大判スノコ板（ハーフサイズ）
１３  介助設備
１６  水栓設備
１７  カウンター
１８  カウンター
ａ    浴室床の縦寸法
ｂ    浴室床の横寸法
ｃ    浴槽の長さ寸法
ｄ    浴槽の幅寸法
【手続補正２】
【補正対象書類名】図面
【補正対象項目名】図２
【補正方法】変更
【補正の内容】
【図２】
2001295339.tif 000001
【手続補正３】
【補正対象書類名】図面
【補正対象項目名】図４
【補正方法】変更
【補正の内容】
【図４】
2001295339.tif 000002
【手続補正４】
【補正対象書類名】図面
【補正対象項目名】図５
【補正方法】変更
【補正の内容】
【図５】
2001295339.tif 000003
【手続補正５】
【補正対象書類名】図面
【補正対象項目名】図６
【補正方法】変更
【補正の内容】
【図６】
2001295339.tif 000004